(57)【要約】【課題】建物の内外における遮音効果を高めるとともに、室内に外気が吹き込むのを抑えることができる換気構造を提供する。【解決手段】換気構造１Ａであって、外壁３に形成された屋外連通路１０と、内壁材４に形成された室内連通路２０と、屋外連通路１０に連通する第一チャンバー３０と、室内連通路２０に連通する第二チャンバー４０と、第一チャンバー３０と第二チャンバーとの間に設けられた中間チャンバー５０と、を備えている。さらに、第一チャンバー３０内と中間チャンバー５０内とを連通させる第一接続路６０と、中間チャンバー５０内と第二チャンバー４０内とを連通させる第二接続路７０と、を備えている。【選択図】図２
2015129618.tif 000002
【特許請求の範囲】
【請求項１】
外壁と内壁材との間を通じて外気を室内に取り入れるための換気構造であって、
前記外壁に形成された屋外連通路と、
前記内壁材に形成された室内連通路と、
前記屋外連通路および前記室内連通路に連通する第一チャンバーと、を備え、
前記屋外連通路と前記室内連通路とが対向していないことを特徴とする換気構造。
【請求項２】
外壁と内壁材との間を通じて外気を室内に取り入れるための換気構造であって、
前記外壁に形成された屋外連通路と、
前記内壁材に形成された室内連通路と、
前記屋外連通路に連通する第一チャンバーと、
前記室内連通路に連通する第二チャンバーと、
前記第一チャンバーと前記第二チャンバーとの間に設けられた中間チャンバーと、
前記第一チャンバー内と前記中間チャンバー内とを連通させる第一接続路と、
前記中間チャンバー内と前記第二チャンバー内とを連通させる第二接続路と、を備えていることを特徴とする換気構造。
【請求項３】
前記室内連通路の室内側の開口部は、網状の下地材が嵌め込まれるとともに、通気性を有する壁紙によって覆われていることを特徴とする請求項１または請求項２に記載の換気構造。
【請求項４】
前記第一チャンバー内には、前記屋外連通路に連通する開口部が形成されており、
前記開口部に対向する位置には緩衝材が設けられていることを特徴とする請求項１から請求項３のいずれか一項に記載の換気構造。
【発明の詳細な説明】
【技術分野】
【０００１】
本発明は、外気を室内に取り入れるための換気構造に関する。
【背景技術】
【０００２】
排気ファンを駆動させて室内を常に換気する第三種換気システムでは、外気を室内に取り入れるための換気構造が設けられている。
前記した換気構造は、外壁に形成された屋外連通路と、内壁材に形成された室内連通路と、屋外連通路から室内連通路に通じるダクトと、を備え、外壁と内壁材との間にダクトが設けられている。
【０００３】
前記した換気構造としては、ダクトに屈曲部位を形成することで、ダクトを通じて建物の内外に音が伝わるのを抑えているものがある（特許文献１および特許文献２参照）。
【先行技術文献】
【特許文献】
【０００４】
【特許文献１】特開平５−３０２３６９号公報
【特許文献２】特開２００６−２００８８２号公報
【発明の概要】
【発明が解決しようとする課題】
【０００５】
前記した従来の換気構造のダクトは、屋外連通路から室内連通路に亘って同一な軸断面の一本の通路であるため、十分な消音効果を得ることができないとともに、ダクトを通じて室内に外気が吹き込み易いという問題がある。
【０００６】
本発明は、前記した問題を解決し、建物の内外における遮音効果を高めるとともに、室内に外気が吹き込むのを抑えることができる換気構造を提供することを課題とする。
【課題を解決するための手段】
【０００７】
前記課題を解決するため、本発明は、外壁と内壁材との間を通じて外気を室内に取り入れるための換気構造である。本発明の換気構造は、前記外壁に形成された屋外連通路と、前記内壁材に形成された室内連通路と、前記屋外連通路および前記室内連通路に連通する第一チャンバーと、を備え、前記屋外連通路と前記室内連通路とが対向していない。
【０００８】
この構成では、第一チャンバー内に音波が進入すると、第一チャンバー内で音波が拡散され、音波が反射および干渉するため、第一チャンバー内で消音することができる。
また、第一チャンバー内に外気が流入すると、第一チャンバー内で外気が拡散され、外気が反射および干渉するため、第一チャンバー内で外気の流速を低下させることができる。さらに、外気が第一チャンバー内を通過するために要する時間が長くなるため、第一チャンバー内で外気の温度を上げることができる。
また、屋外連通路と室内連通路とが対向しておらず、第一チャンバー内で音波や外気が多重反射するため、消音効果を高めるとともに、外気の流速を十分に低下させることができる。
【０００９】
前記課題を解決するため、本発明の他の構成は、外壁と内壁材との間を通じて外気を室内に取り入れるための換気構造である。本発明の換気構造は、前記外壁に形成された屋外連通路と、前記内壁材に形成された室内連通路と、前記屋外連通路に連通する第一チャンバーと、前記室内連通路に連通する第二チャンバーと、前記第一チャンバーと前記第二チャンバーとの間に設けられた中間チャンバーと、を備えている。さらに、本発明の換気構造は、前記第一チャンバー内と前記中間チャンバー内とを連通させる第一接続路と、前記中間チャンバー内と前記第二チャンバー内とを連通させる第二接続路と、を備えている。
【００１０】
この構成では、チャンバー同士の内部空間が接続路を通じて連通している。これにより、換気構造を通過する外気や音は、チャンバー内の広い空間と、接続路内の狭い空間とを交互に通過することになる。
そして、チャンバー内に音波が進入すると、チャンバー内で音波が拡散され、音波が反射および干渉するため、チャンバー内で消音することができる。
また、チャンバー内に外気が流入すると、チャンバー内で外気が拡散され、外気が反射および干渉するため、チャンバー内で外気の流速を低下させることができる。さらに、外気がチャンバー内を通過するために要する時間が長くなるため、チャンバー内で外気の温度を上げることができる。
【００１１】
なお、前記した換気構造の中間チャンバーにおいて、第一接続路に連通する第一開口部と、第二接続路に連通する第二開口部と、が対向しないように構成することが望ましい。
この構成では、中間チャンバー内で音波や外気が多重反射するため、消音効果を高めるとともに、外気の流速を十分に低下させることができる。
【００１２】
前記した換気構造において、前記室内連通路の室内側の開口部は、網状の下地材が嵌め込まれるとともに、通気性を有する壁紙によって覆われていることが望ましい。
この構成では、壁紙によって室内連通路の開口部が目立たなくなるため、室内連通路の開口面積を大きくしても、美観が損なわれ難くなる。なお、室内連通路の開口面積を大きくすると、室内連通路から室内に流入する外気の流速を低下させることができる。
【００１３】
屋外連通路から第一チャンバー内に流入した外気が第一チャンバーの内面に当たると、その衝撃で第一チャンバーが振動して音が発生し、第一チャンバーから室内に音が伝わる場合がある。そこで、前記第一チャンバー内において、前記屋外連通路に連通する開口部に対向する位置に緩衝材を設けることが望ましい。
この構成では、屋外連通路から第一チャンバー内に流入した外気は緩衝材に当たるため、第一チャンバーの振動を抑えることができる。
なお、緩衝材に傾斜面を形成したり、緩衝材を第一チャンバーの内面から離間させたりすることで、第一チャンバーの振動をより効果的に抑えることができる。
【００１４】
また、前記した換気構造において、屋外連通路の第一チャンバー側の端部には、屋外連通路と第一チャンバーとの連結部に向かうに従って軸断面が拡大された拡散部を形成してもよい。
この構成では、屋外連通路から第一チャンバー内に流入した外気は、拡散部を通過することで拡散されるため、外気が第一チャンバーの内面に衝突したときの衝撃を小さくすることができ、第一チャンバーの振動を抑えることができる。
【００１５】
また、前記した換気構造において、内壁材と第一チャンバーとを離間させた場合には、第一チャンバーの振動が内壁材に伝わるのを防ぐことができる。
【００１６】
また、前記した換気構造において、外壁の内面には断熱材が積層されている場合には、第一チャンバー、中間チャンバーおよび第二チャンバーの少なくとも一つが断熱材に接しているように構成することが望ましい。
この構成では、断熱材によってチャンバーの温度低下が抑えられるため、チャンバー内を通過する外気の温度を効果的に上げることができ、室内に流入する空気の温度を室温に近づけることができる。
【発明の効果】
【００１７】
本発明の換気構造では、外気や音がチャンバー内を通過するため、十分な消音効果を得ることができ、建物の内外における遮音効果を高めることができる。また、本発明の換気構造では、チャンバー内を外気の流速を低下させるとともに、チャンバー内で外気の温度を上げることができるため、室内に冷気が吹き込むのを防ぐことができる。
【図面の簡単な説明】
【００１８】
【図１】第一実施形態の換気構造のチャンバーおよび接続路を示した斜視図である。
【図２】第一実施形態の換気構造を示した側断面図である。
【図３】第一実施形態の変形例を示した図で、（ａ）は緩衝材を第一チャンバーの内面から離間させた構成の側断面図、（ｂ）は屋外連通路の拡散部を形成した構成の側断面図である。
【図４】第二実施形態の換気構造のチャンバーおよび接続路を示した斜視図である。
【図５】第三実施形態の換気構造の第一チャンバーを示した斜視図である。
【発明を実施するための形態】
【００１９】
本発明の実施形態について、適宜図面を参照しながら詳細に説明する。
なお、各実施形態の説明において、同一の構成要素に関しては同一の符号を付し、重複した説明は省略するものとする。
【００２０】
［第一実施形態］
第一実施形態では、第三種換気システムを備えている住宅に本発明の換気構造を適用した場合について説明する。
住宅の壁部２は、図２に示すように、コンクリート壁やサイディング等の外壁３と、石膏ボード等の内壁材４とが間隔を空けて配置された二重壁である。外壁３の室内２ｂ側の面３ａには発泡樹脂等の断熱材５が積層されている。
【００２１】
換気構造１Ａは、外壁３と内壁材４との間を通じて、外気を室内２ｂに取り入れるものである。
換気構造１Ａは、外壁３および断熱材５に形成された屋外連通路１０と、内壁材４に形成された室内連通路２０と、外壁３と内壁材４との間に設けられた三つのチャンバー３０，４０，５０と、各チャンバー３０，４０，５０の間に介設された二つの接続路６０，７０と、を備えている。
【００２２】
屋外連通路１０は、外壁３および断熱材５の下部に形成された円形断面の貫通穴である（図１参照）。屋外連通路１０には円筒状の通気管１１が内嵌されている。なお、通気管１１の内周面にグラスウール等の吸音材を貼り付けてもよい。
【００２３】
室内連通路２０は、内壁材４に形成された矩形の貫通穴である。室内連通路２０は、屋外連通路１０よりも上方に配置されている。室内連通路２０の室内２ｂ側の開口部には、矩形の下地材２１が内嵌されている（図１参照）。
【００２４】
下地材２１は、図１に示すように、矩形の枠体２２と、枠体２２内に設けられた網状部材２３と、枠体２２の室内２ｂ側の開口部を覆っている壁紙２４と、を備えている。
壁紙２４は、図２に示すように、枠体２２の開口縁部および網状部材２３の室内２ｂ側の面に貼り付けられている。
また、壁紙２４は通気性を有している。そして、壁紙２４は、枠体２２および網状部材２３によって強度を確保しつつ、室内連通路２０から室内２ｂへの空気の流通を確保している。
【００２５】
壁紙２４によって室内連通路２０の室内２ｂ側の開口部が覆われている。壁紙２４は内壁材４の室内２ｂ側の面４ｂに貼り付けられた壁紙８と同一面を構成している。両壁紙８，２４は同じデザインにして、室内２ｂ側から壁面を見たときに、室内連通路２０を目立たないようにすることが望ましい。
【００２６】
三つのチャンバー３０，４０，５０は、図１に示すように、屋外連通路１０に連通する第一チャンバー３０と、室内連通路２０に連通する第二チャンバー４０と、第一チャンバー３０と第二チャンバー４０との間に設けられた中間チャンバー５０と、から構成されている。
各チャンバー３０，４０，５０は、直方体の箱体であり、アクリル板等のプラスチック材料によって形成されている。
なお、各チャンバー３０，４０，５０の材料は限定されるものではなく、例えば、段ボール等の紙や木材を用いてもよい。また、各チャンバー３０，４０，５０の内面にグラスウール等の吸音材を貼り付けてもよい。
【００２７】
チャンバー３０，４０，５０は、図２に示すように、断熱材５と内壁材４との間において上下方向に並べられている。さらに、チャンバー３０，４０，５０は、図１に示すように、外壁３と内壁材４との間に設けられた縦材６，６の間に配置されている。
【００２８】
第一チャンバー３０は、図２に示すように、壁部２の下部に配置されている。第一チャンバー３０の屋外２ａ側の壁部３０ａは、粘着テープ等の固定手段によって断熱材５に固定されている。
第一チャンバー３０の室内２ｂ側の壁部３０ｂと、内壁材４の屋外２ａ側の面４ａとは離間している。また、第一チャンバー３０の下側の壁部３０ｃとスラブ７の上面とは離間している。
【００２９】
第一チャンバー３０の屋外２ａ側の壁部３０ａには、屋外連通路１０に連通する流入口３１（特許請求の範囲における「開口部」）が開口している。第一実施形態では、図１に示すように、第一チャンバー３０の屋外２ａ側の壁部３０ａにおいて、図１の右側となる部位に流入口３１が開口している。
【００３０】
図２に示すように、第一チャンバー３０の内部には板状の緩衝材３３が設けられている。緩衝材３３は、第一チャンバー３０の室内２ｂ側の壁部３０ｂの内面において、流入口３１に対向する面に取り付けられている。緩衝材３３には傾斜面３３ａが形成されており、傾斜面３３ａは流入口３１に対向している。傾斜面３３ａによって緩衝材３３の板厚は、上下両縁部から上下方向の中央に向かうに従って大きくなっている。
【００３１】
図１に示すように、第一チャンバー３０の上側の壁部３０ｄには、第一接続路６０に連通する流出口３２が開口している。流出口３２は、上側の壁部３０ｄにおいて、図１の左側かつ室内２ｂ側となる部位に開口している（図２参照）。
【００３２】
中間チャンバー５０は、第一チャンバー３０の上方に配置されている。図２に示すように、中間チャンバー５０の下側の壁部５０ｃと第一チャンバー３０の上側の壁部３０ｄとは離間している。
中間チャンバー５０は、第一チャンバー３０と同様に、屋外２ａ側の壁部５０ａは断熱材５に固定され、室内２ｂ側の壁部４０ｂと内壁材４の屋外２ａ側の面４ａとは離間している。
【００３３】
図１に示すように、中間チャンバー５０の下側の壁部５０ｃには、第一接続路６０に連通する流入口５２（特許請求の範囲における「第一開口部」）が開口している。流入口５２は、下側の壁部５０ｃにおいて、図１の左側かつ室内２ｂ側となる部位に開口している（図２参照）。
また、中間チャンバー５０の上側の壁部５０ｄには、第二接続路７０に連通する流出口５３（特許請求の範囲における「第二開口部」）が開口している。流出口５３は、上側の壁部５０ｄにおいて、図１の右側かつ屋外２ａ側となる部位に開口している（図２参照）。
中間チャンバー５０では、流入口５２と流出口５３とが上下方向に対向しない位置に配置されている。すなわち、流入口５２と流出口５３とは一直線上に配置されておらず、壁部２の厚さ方向および幅方向にずれている。
【００３４】
第二チャンバー４０は、中間チャンバー５０の上方に配置されている。図２に示すように、第二チャンバー４０の下側の壁部４０ｃと中間チャンバー５０の上側の壁部５０ｄとは離間している。
第二チャンバー４０の屋外２ａ側の壁部４０ａは、粘着テープ等の固定手段によって断熱材５に固定されている。
【００３５】
第二チャンバー４０の室内２ｂ側の一面には、室内連通路２０に連通する流出口４１が開口している（図１参照）。
図１に示すように、第二チャンバー４０の下側の壁部４０ｄには、第二接続路７０に連通する流入口４２が開口している。流入口４２は、下側の壁部４０ｄにおいて、図１の右側かつ屋外２ａ側となる部位に開口している（図２参照）。
【００３６】
第一接続路６０は、第一チャンバー３０の内部空間と中間チャンバー５０の内部空間とを連通させる筒状の部材である（図２参照）。第一接続路６０の下端開口部は、第一チャンバー３０の流出口３２に連通している。また、第一接続路６０の上端開口部は、中間チャンバー５０の流入口５２に連通している。
【００３７】
第二接続路７０は、中間チャンバー５０の内部空間と第二チャンバー４０の内部空間とを連通させる筒状の部材である（図２参照）。第二接続路７０の下端開口部は、中間チャンバー５０の流出口５３に連通している。また、第二接続路７０の上端開口部は、第二チャンバー４０の流入口４２に連通している。
なお、第一接続路６０および第二接続路７０の内周面にグラスウール等の吸音材を貼り付けてもよい。
【００３８】
換気構造１Ａでは、図２に示すように、屋外連通路１０から第一チャンバー３０内に外気が流入する。また、第一チャンバー３０内に流入した外気は、第一接続路６０を通じて中間チャンバー５０に流入する。さらに、中間チャンバー５０内に流入した外気は、第二接続路７０を通じて第二チャンバー４０に流入する。そして、第二チャンバー４０内に流入した外気は、室内連通路２０を通じて室内２ｂに流入する。このようにして、換気構造１Ａでは、外気を室内２ｂに取り入れることができる。
【００３９】
以上のような換気構造１Ａでは、図２に示すように、チャンバー３０，４０，５０同士の内部空間が接続路６０，７０を通じて連通している。これにより、換気構造１Ａを通過する外気や音は、チャンバー３０，４０，５０内の広い空間と、接続路６０，７０内の狭い空間とを交互に通過することになる。
【００４０】
そして、各チャンバー３０，４０，５０内に音波が進入すると、各チャンバー３０，４０，５０内で音波が拡散され、音波が反射および干渉するため、各チャンバー３０，４０，５０内で消音することができる。したがって、換気構造１Ａでは、十分な消音効果を得ることができ、建物の内外における遮音効果を高めることができる。
【００４１】
また、各チャンバー３０，４０，５０内に外気が流入すると、各チャンバー３０，４０，５０内で外気が拡散され、外気が反射および干渉するため、各チャンバー３０，４０，５０内で外気の流速を低下させることができる。さらに、外気が各チャンバー３０，４０，５０内を通過するために要する時間が長くなるため、各チャンバー３０，４０，５０内で外気の温度を上げることができる。したがって、換気構造１Ａでは、室内２ｂに冷気が吹き込むのを防ぐことができる。
【００４２】
また、中間チャンバー５０では、流入口５２と流出口５３とが対向しない位置に配置されており、中間チャンバー５０内で音波や外気が多重反射するため、消音効果を高めるとともに、外気の流速を十分に低下させることができる。
【００４３】
また、室内連通路２０の室内２ｂ側の開口部は、網状の下地材２１が嵌め込まれるとともに、通気性を有する壁紙２４によって覆われている。この構成では、壁紙２４によって室内連通路２０の開口部が目立たなくなるため、室内連通路２０の開口面積を大きくしても、美観が損なわれ難くなる。なお、室内連通路２０の開口面積を大きくすると、室内連通路２０から室内２ｂに流入する外気の流速を低下させることができる。
【００４４】
また、各チャンバー３０，４０，５０は断熱材５に固定されており、断熱材５によって各チャンバー３０，４０，５０の温度低下が抑えられているため、各チャンバー３０，４０，５０内を通過する外気の温度を効果的に上げることができ、室内２ｂに流入する空気の温度を室温に近づけることができる。
【００４５】
また、第一チャンバー３０内において、屋外連通路１０に連通する流入口３１に対向する面には緩衝材３３が設けられており、第一チャンバー３０の内面が補強されている。この構成では、屋外連通路１０から第一チャンバー３０内に流入した外気は緩衝材３３の傾斜面３３ａに当たるため、第一チャンバー３０の振動を抑えることができる。さらに、内壁材４と第一チャンバー３０とが離間しているため、第一チャンバー３０の振動が内壁材４に伝わるのを防ぐことができる。
【００４６】
以上、本発明の第一実施形態について説明したが、本発明は前記第一実施形態に限定されることなく、その趣旨を逸脱しない範囲で適宜に変更が可能である。
例えば、第一実施形態では、図２に示すように、第一チャンバー３０と第二チャンバー４０との間に一つの中間チャンバー５０が設けられているが、第一チャンバー３０と第二チャンバー４０との間に複数の中間チャンバー５０を設けてもよい。この構成では、外気が通過する中間チャンバー５０が増えることで、建物の内外における遮音効果をより高めるとともに、室内２ｂに冷気が吹き込むのを確実に防ぐことができる。
【００４７】
第一実施形態では、図１に示すように、チャンバー３０，４０，５０同士の間に一つの接続路６０，７０が設けられているが、チャンバー３０，４０，５０同士の間に複数の接続路６０，７０を設けてもよい。
【００４８】
また、第一実施形態では、図２に示すように、各チャンバー３０，４０，５０が断熱材５に接しているが、各チャンバー３０，４０，５０と断熱材５とを離間させてもよい。
また、第一実施形態では、第一チャンバー３０および中間チャンバー５０と、内壁材４とが離間しているが、第一チャンバー３０および中間チャンバー５０を内壁材４に固定してもよい。
【００４９】
また、屋外連通路１０、室内連通路２０、各チャンバー３０，４０，５０および各接続路６０，７０の内面に吸音材を貼り付けてもよい。このように、吸音材を設けることで、建物の内外における遮音効果を高めることができる。
【００５０】
また、第一実施形態では、屋外連通路１０の上方に室内連通路２０が配置されているが、室内連通路２０を壁部２の下部に配置し、室内連通路２０の上方に屋外連通路１０を配置してもよい。この場合には、第二チャンバー４０が中間チャンバー５０の下方に配置され、第一チャンバー３０が中間チャンバー５０の上方に配置される。
【００５１】
また、第一実施形態では、第一チャンバー３０の内面に緩衝材３３が取り付けられているが、図３（ａ）に示すように、第一チャンバー３０の内面から緩衝材３４を離間させ、棒状の支持部材３４ａによって、緩衝材３４を第一チャンバー３０の内面に支持させてもよい。
この構成では、緩衝材３４の振動が第一チャンバー３０に伝わり難くなるので、第一チャンバー３０の振動をより効果的に抑えることができる。
【００５２】
また、図３（ｂ）に示すように、屋外連通路１０の第一チャンバー３０側の端部には、第一チャンバー３０との連結部に向かうに従って軸断面が拡大された拡散部１２を形成してもよい。
この構成では、屋外連通路１０から第一チャンバー３０内に流入した外気は、拡散部１２を通過することで拡散される。さらに、拡散部１２内には、外気を拡散させる複数の羽板からなるルーバー１２ａを設けられている。これにより、外気が第一チャンバー３０の内面に衝突したときの衝撃を小さくすることができ、第一チャンバー３０の振動を抑えることができる。
【００５３】
［第二実施形態］
次に第二実施形態の換気構造１Ｂについて説明する。
第二実施形態の換気構造１Ｂは、図４に示すように、第一実施形態の換気構造１Ａ（図１参照）と略同様な構成であり、各チャンバー３０，４０，５０の連結構造が異なっている。
【００５４】
第二実施形態の換気構造１Ｂでは、各チャンバー３０，４０，５０が上下方向に連続して形成されている。
換気構造１Ｂでは、第一チャンバー３０と中間チャンバー５０との間は第一仕切り壁８１によって仕切られており、中間チャンバー５０と第二チャンバー４０との間は第二仕切り壁８２によって仕切られている。
また、換気構造１Ｂでは、第一仕切り壁８１に第一接続路６１が開口し、第二仕切り壁８２に第二接続路７１が開口している。
【００５５】
第二実施形態の換気構造１Ｂでは、各チャンバー３０，４０，５０をコンパクトに配置することができ、設置スペースを小さくすることができる。
なお、第二実施形態についても、前記第一実施形態と同様に、前記第二実施形態の構成に限定されることなく、その趣旨を逸脱しない範囲で適宜に変更が可能である。
【００５６】
［第三実施形態］
次に第二実施形態の換気構造１Ｃについて説明する。
第三実施形態の換気構造１Ｃは、図５に示すように、第一実施形態の換気構造１Ａ（図１参照）と略同様な構成であり、チャンバーが一つである点が異なっている。
【００５７】
第三実施形態の換気構造１Ｃは、外壁３に形成された屋外連通路１０と、内壁材４に形成された室内連通路２０と、屋外連通路１０および室内連通路２０に連通する第一チャンバー９０と、を備えている。換気構造１Ｃでは、屋外連通路１０と室内連通路２０とが対向しておらず、壁部２の高さ方向にずれている。
そして、第一チャンバー９０には、屋外連通路１０に連通する流入口９１と、室内連通路２０に連通する流出口９２と、が開口している。この流入口９１および流出口９２は対向していない。すなわち、流入口９１と流出口９２とは一直線上に配置されておらず、壁部２の高さ方向にずれている。
【００５８】
第三実施形態の換気構造１Ｃでは、第一実施形態の換気構造１Ａ（図２参照）と同様に、十分な消音効果を得ることができ、建物の内外における遮音効果を高めることができる。また、第三実施形態の換気構造１Ｃでは、第一チャンバー９０内を外気の流速を低下させるとともに、第一チャンバー９０内で外気の温度を上げることができるため、室内に冷気が吹き込むのを防ぐことができる。
さらに、第三実施形態の換気構造１Ｃでは、また、屋外連通路１０と室内連通路２０とが対向しておらず、第一チャンバー９０内で音波や外気が多重反射するため、消音効果を高めるとともに、外気の流速を十分に低下させることができる。
【符号の説明】
【００５９】
１Ａ    換気構造（第一実施形態）
１Ｂ    換気構造（第二実施形態）
１Ｃ    換気構造（第三実施形態）
２      壁部
２ａ    屋外
２ｂ    室内
３      外壁
４      内壁材
５      断熱材
８      壁紙
１０    屋外連通路
１１    通気管
１２    拡散部
１２ａ  ルーバー
２０    室内連通路
２１    下地材
２２    枠体
２３    網状部材
２４    壁紙
３０    第一チャンバー
３１    流入口
３２    流出口
３３    緩衝材
３３ａ  傾斜面
４０    第二チャンバー
４１    流出口
４２    流入口
５０    中間チャンバー
５２    流入口
５３    流出口
６０    第一接続路（第一実施形態）
６１    第一接続路（第二実施形態）
７０    第二接続路（第一実施形態）
７１    第二接続路（第二実施形態）
８１    第一仕切り壁
８２    第二仕切り壁
９０    第一チャンバー（第三実施形態）
【図１】
2015129618.tif 000003
【図２】
2015129618.tif 000004
【図３】
2015129618.tif 000005
【図４】
2015129618.tif 000006
【図５】
2015129618.tif 000007